(57)【要約】      （修正有）【課題】クッション機能を備えた正座用の機構に関するもので、身体の荷重に因り臀部、腰及び膝等に負担を与えず正しい姿勢を維持出来、尚且つ、携帯及び使用が簡便で、低廉な費用で製造出来る、正座用機構を提供する。【解決手段】梯子模様の柱形状で出来た本体部１と、本体内部を充たすクッション部材を具備し、本体部は第一幅と第一幅より狭い第二幅を持つ上面部２、第一の幅に対応する第一の高さと第二の幅に対応し第一の高さより高い第二の高さを持つ側面部３、第一の幅と第一の高さに対応して出来た第一の横面部４及び、第二の幅と第二の高さに対応して出来た第二の横面部５より成り、本体部は第一の横面部側を前にして使用者の両側の膝と股の間だに挿入して使用する構成にした。【選択図】図１
0003106271.tif 000002
【実用新案登録請求の範囲】
【請求項１】
梯子様柱形状で出来た本体部と；
上記本体部内を充填するクッション部材を具備し、
上記本体部は
第１の幅と第１の幅より狭い第２の幅を持つ上面部、
上記第１の幅に対応する第１の高さと上記第２の幅に対応し上記第１の高さより高い第２の高さを持つ側面部、
上記第１の幅と上記第１の高さに対応して作られた第１の横面部及び、
上記第２の幅と上記第２の高さに対応して作られた第２の横面部で構成され、
上記本体部は上記第１の横面部側を前にして使用者の両側の膝と太股の間に挿入されて使用される事を特徴とする正座用機構。
【請求項２】
第１項に於いて、
上記本体部の上面部、側面部、第１の横面部及び第２の横面部の各々の結合部は互いに連続して一体に構成され、上記本体部の各々の角の部は角が形成されて居ない事を特徴とする正座用機構。
【請求項３】
第２項に於いて、
上記本体部の表面は人造皮で出来て居り上記クッション部材はプラスチック片又はセラミックス片で出来て居る事を特徴とする臀部用椅子。
【考案の詳細な説明】
【技術分野】
【０００１】    本考案はクッション機能を具備した正座用機構に関するもので、膝を折っての長時間の祈祷の場合体の疲労が早く来、膝の関節に疼痛を誘発し、背がへっぴり腰になり足の痺れが発生するのを抑制出来る正座用機構に関するものである。
【背景技術】
【０００２】    通常、信仰人達が祈祷する時は普通座布団を床に敷き其の上に膝を折った状態で行った。
【考案の開示】
【考案が解決しようとする課題】
【０００３】    この様に普通膝を折った状態で祈祷をすると、此により足首が真っ直ぐに開かれ同時に太ももと、からすねが向い合って接する様に成って膝の関節が曲げられながら床の面に接する状態に成る。【０００４】    又、長時間祈祷する様に成ると、床に接した膝の関節部分が体の荷重により圧迫され疼痛が誘発為れ、尚且つ、血液の循環がよくできなくなり足に痺れ現象が現れる問題点がある。【０００５】    又、祈祷する途中に折曲げられた膝の関節を時々伸ばすか床の面より浮かすと、散漫な姿勢に成り祈祷の時に集中力が落ちる様に成る。【０００６】    この様な問題点を解決する為に座布団が設置された膝あてを使用して居るが、膝あてに膝を当てると体重全体が膝の方に掛かり時間が経つと膝の部位に疼痛が来るのは勿論、体全体が疲労を感じる様に成り、もっと膝を跪いて祈祷を重ねると関節炎の要因にも成った。【０００７】    即ち、膝を折って座る時、脛骨が圧迫される事に依り大腿骨の前に無理が加わり痛みを感じる様になり、此の現象が長引くと筋肉痛の要因にも成る憂慮が有り、又、膝を折って座る時と起きる時に足の動きが不自由で特に体の大小の、人による体位に合わせて大きさを別にする問題点が有った。
【課題を解決するための手段】
【０００８】    本考案の目的は、詳述した通り、従来の技術の問題点を解決するために為されたもので、身体の荷重に依り臀部、腰及び膝に負担を与えず正しい姿勢を維持出来、又、別の目的は携帯及び使用が簡便で、低廉な費用で製造出来る臀部用椅子を提供する事にある。
【考案の効果】
【０００９】    この様にする事に依り、使用者のこむら部分と臀部部分が直接当たらないので使用者には関節自体に無理が起らないで背が正しく伸びて正座状態を維持出来る様に成る。
特に、膝を折った姿勢が苦しい妊産婦、又は、患者の場合に於いては本考案の正座用機構が大変有用に活用出来る。【００１０】本考案に従う正座用機構に依れば膝を折った姿勢に於いても上体が前に傾かないので、使用者の荷重（体重）に依る臀部、腰、膝の負担を軽減させて長時間安楽に使用出来ると言う効果が得られる。【００１１】    特に、妊産婦又は患者の正座状態の場合、背が正しく伸びる事に依り安楽な状態を維持出来ると言う効果も得られる。【００１２】    尚且つ、本考案に従う正座用機構は携帯及び保管が簡便である。
【考案の実施するための最良の形態】
【００１３】    上記の目的実現の為、本考案に従う正座用機構は梯子様柱形状依り成る本体部と；上記本体部内を充填するクッション部材を具備し、上記本体部は第１の幅と第１の幅より狭い第２の幅を持つ上面部、上記第１の幅に対応する第１の高さと上記第２の幅に対応し上記第１の高さより高い第２の高さを持つ側面部、上記第１の幅と上記第１の高さに対応して出来た第１の横面部及び、上記第２の幅と上記第２の高さに対応して出来た第２の横面部より成り、上記本体部は上記第１の横面部側を前にして使用者の両側の膝と股の間に挿入されて使用される事を特徴とする。
【００１４】    又、本考案に従う正座用機構に於て、上記本体部の上面部、側面部、第１の横面部及び第２の横面部の各々の結合部は互いに連続して一体に作られ、上記本体部の各々の角の部分は角が形成されない事を特徴とする。
【００１５】    又、本考案に従う正座用機構に於て、上記本体部表面は人造皮で出来て居り、上記クッション部材はプラスチック片又はセラミック片で出来て居る事を特徴とする。
【００１６】    尚且つ、本発明に従う正座用機構に於いて、上記側面部には上記本体部を使用者の両側のこむらの間に支持させる為の一つがいの支持部材があるのを特徴とする。
【実施例】
【００１７】    以下、添附された図面に従って本考案の実施例を説明する。【００１８】    又、図面に於て同一部分には同一符号を附与し其の反復的な説明を省略する。【００１９】    図１は本考案の一実施例に従う正座用機構を表す図面で、図１は正座用機構の斜視図、図２は正座用機構の上面図、図３は正座用機構の側面図である。【００２０】    図１に図示された様に、正座用機構の（１）は大略梯子様柱形状に出来て居り、此の本体部（１）内にはクッション部材が充填されて居る。【００２１】    図３に於いて、（２）は本体部（１）の上面部、（３）は上面部（２）の左右両側に連続された側面部、（４）は上面部（２）の前面に連続する第１の横面部、（５）は上面部（２）の后面に連続する第２の横面部である、（６）は上面部（２）と第１の横面部（４）の連結部の両側に設けた蛇腹部である。【００２２】    図２に図示された様に  上面部（２）の両側の長さの方向に第１の拡張部（７）が一組設けられ、又上面部（２）の前面方向に第２の拡張部（８）が設けられる。蛇腹部（６）は、第１拡張部（７）と第２拡張部（８）を形成する為に設けられたものである。【００２３】    上面部（２）の両側の長さの方向に設けられた一組の第１の拡張部（７）と上面部（２）の前面に設けられた第２の拡張部（８）により第１の幅の長さｌ１を第２の幅の長さｌ２より広く形成する。
本考案に従う実施例に於てｌ１は１５ｃｍ、ｌ２は１０ｃｍに形成する。【００２４】    又、図３に図示した通り、側面部（３）に於ては第１の幅ｌ１に対応する第１の高さｔ１より第２の幅ｌ２に対応する第２の高さｔ２を高く形成する。【００２５】    本考案に従う実施例に於てｔ１は９ｃｍ、ｔ２は１０ｃｍに形成する。全体の重さは６００ｇである。【００２６】    かつ又、上記した第１及び第２の幅の長さ及び第１及び第２の高さは此に限定されないが、使用者の状態に従って変更可能である。【００２７】    上記実施例の説明に於ては上面部（２）及び側面部（３）を各々分離して説明したが、本考案に於いて本体部（１）の上面部（２）、側面部（３）、第１の横面部（４）及び第２の横面部（５）の各々の結合部は互いに連続して一体に出来て居り、本体部（１）の各々を連結して形成する各々の角部には角が出来ない様、丸形に作られる。【００２８】    又、本考案に於いて本体部（１）の表面は、洗濯の必要がなく汚れると布巾で拭うだけでも清潔状態を維持出来価格が低廉な人造皮が望ましい。【００２９】    かつ又、本体部（１）内に充填されるクッション部材としては屑埃、ダニ等の発生を防止するプラスチック片、遠赤外線を放射するセラミックス片を使用するか又は遠赤外線の放射素材の玉、硬質炭（備長炭等）、麦飯石、黄土等を混合して使用出来る。【００３０】    次に、図４に図示された正座用機構の使用状態図に従って図１に図示された正座用機構の使用方法について説明する。【００３１】    図１に図示された正座用機構の本体部（１）の第１の横面部（４）側を前にして、使用者が膝を折った状態で臀部を持ち上げ使用者の両側の足の膝と太股の間に２／３程度入れて座る。
【産業上の利用可能性】
【００３２】    本考案は正座したときのしびれを防止する器具に關する。
【図面の簡単な説明】
【００３３】
【図１】は斜視図。
【図２】は上面図。
【図３】は側面図。
【図４】総体図
【符号の説明】
【００３４】１  本体部
２  上面部
３  側面部
４  第１の横面部
５  第２の横面部
６  蛇腹部
７  第１の拡張部
８  第２の拡張部
【図１】
0003106271.tif 000003
【図２】
0003106271.tif 000004
【図３】
0003106271.tif 000005
【図４】
0003106271.tif 000006